(57)【要約】  本発明は、電力用キャパシタのためのキャパシタ・エレメント（１）に係る。このキャパシタ・エレメントは、複数の直列に接続された円筒形のサブ・エレメント（１０１，１０２，１０３）を含んでいる。各サブ・エレメント（１０１，１０２，１０３）は、複数のターンに巻かれた誘電材料の少なくとも二つのストリップを含んでいる。導電性材料のレイヤ導電性材料が、前記巻き線のターンの間に配置されている。これらのサブ・エレメントは、ストリップの平面を横切る方向で見たときに、一方が他方の外側に配置されている。本発明によれば、最も外側のサブ・エレメント（１０１）の中のストリップは、それぞれ内側にあるサブ・エレメント（１０２，１０３）の中のストリップと比べて長い。本発明は、本発明に基づく複数のキャパシタ・エレメントが設けられた電力用キャパシタ、及び本発明に基づく複数の電力用キャパシタが設けられたキャパシタ・バッテリーにも係る。本発明は、本発明のキャパシタ・エレメントの製造方法、及び本発明の電力用キャパシタの使用にも係る。
2009515359.tif 000002
【特許請求の範囲】
【請求項１】
交流高電圧用の電力用キャパシタのためのキャパシタ・エレメント（１）であって、
このキャパシタ・エレメント（１）は、複数の直列に接続された円筒形のサブ・エレメント（１０１，１０２，１０３）を含み、ここで、各サブ・エレメント（１０１，１０２，１０３）は、巻線を形成すべく複数のターンに巻かれた誘電材料の少なくとも二つのストリップ（８ａ，８ｂ）を含んでおり、
また、導電性材料のレイヤ（９ａ，９ｂ）が、前記巻線のターンの間に配置されており、
また、前記サブ・エレメント（１０１，１０２，１０３）は、ストリップの平面を横切る方向で見たときに、一方が他方の外側に配置されている、
キャパシタ・エレメントにおいて、
最も外側のサブ・エレメント（１０１）の中のストリップが、それぞれ内側にあるサブ・エレメント（１０２，１０３）の中の各ストリップと比べて長いことを特徴とするキャパシタ・エレメント。
【請求項２】
下記特徴を有する請求項１に記載のキャパシタ・エレメント：
前記最も外側のサブ・エレメント（１０１）の中の各ストリップは、最も近くの内側にあるサブ・エレメント（１０２）の中の各ストリップの長さの１１０％から１２０％の範囲内の長さを有している。
【請求項３】
下記特徴を有する請求項１または２に記載のキャパシタ・エレメント：
導電性材料の前記レイヤは、各ストリップの少なくとも一方のサイドで、コーティング（９ａ，９ｂ）の形態で配置されている。
【請求項４】
下記特徴を有する請求項３に記載のキャパシタ・エレメント：
各サブ・エレメント（１０１，１０２，１０３）は、複数のターンに巻かれた二つの互いに異なるストリップ（８ａ，８ｂ）を含んでおり、
ここで、交互に巻かれたターンの各一方は、一方のストリップ（８ａ）で形成され、そして、交互に巻かれたターンの各もう一方は、もう一方のストリップ（８ｂ）で形成されている。
【請求項５】
交流高電圧のための電力用キャパシタ（２）であって、
当該電力用キャパシタは、請求項１から４のいずれか１項に記載の複数のキャパシタ・エレメント（１ａ〜１ｄ）を含んでおり、
これらのキャパシタ・エレメント（１ａ〜１ｄ）は、前記円筒形のサブ・エレメントの長手方向に伸びる共通の軸に沿って、近接状態で配置されていること、
を特徴とする電力用キャパシタ。
【請求項６】
キャパシタ・バッテリー（７）であって、
請求項５に記載の少なくとも一つの電力用キャパシタ（２）を含んでいること、
を特徴とするキャパシタ・バッテリー。
【請求項７】
電力用キャパシタのためのキャパシタ・エレメントの（ａ）製造方法であって、
このキャパシタ・エレメントは、複数の直列に接続された円筒形のサブ・エレメントを含んでおり、
また、各サブ・エレメントは、巻線を形成すべく誘電材料の少なくとも二つのストリップを複数のターンに巻くことにより形成され、
導電性材料のレイヤ導電性材料が、これらの巻き線のターンの間に配置され、且つ前記ストリップの平面を横切る方向で見たときに、前記サブ・エレメントは、一方が他方の外側に配置されている、
製造方法において、
最も外側のサブ・エレメントを、それぞれ内側にあるサブ・エレメントが巻かれるストリップと比べて長いストリップを用いて巻くことを特徴とする製造方法。
【請求項８】
下記特徴を有する請求項７に記載の方法：
最も外側のサブ・エレメントを、最も近くの内側にあるサブ・エレメントを巻くために使用されるストリップの長さの１１０％から１２０％の範囲内の長さのストリップを用いて巻く。
【請求項９】
下記特徴を有する請求項７または８に記載の方法：
前記ストリップを巻くのに先立って、誘電材料の各ストリップの少なくとも一方のサイドを、導電性材料のコーティングでコーティングすることにより、導電性材料のレイヤを被覆する。
【請求項１０】
下記特徴を有する請求項９に記載の方法：
各サブ・エレメントを、誘電材料の二つの異なるストリップを同時に巻くことにより、形成する。
【請求項１１】
請求項５に記載の電力用キャパシタの、電気的なシステムの中のコンポーネントとしての使用。
【発明の詳細な説明】
【技術分野】
【０００１】
第一のアスペクトによれば、本発明は、キャパシタ・エレメントまたは交流高電圧用電力用キャパシタに係る。ここで、このキャパシタ・エレメントは、複数の直列に接続された円筒形のサブ・エレメントを含んでおり、各サブ・エレメントは、複数のターンに巻かれた誘電材料の少なくとも二つのストリップにより形成されている。また、導電性材料のレイヤ導電性材料が、巻き線のターンの間に配置されている。また、上記のサブ・エレメントは、ストリップの平面を横切る方向で見たときに、一方が他方の外側に配置されている。
【０００２】
本発明の第二及び第三のアスペクトによれば、本発明は、交流高電圧用の電力用キャパシタ及びキャパシタ・バッテリーに、それぞれ、係る。
【０００３】
第四のアスペクトによれば、本発明は、電力用キャパシタのための製造方法に係り、キャパシタ・エレメントは、複数の直列に接続された円筒形のサブ・エレメントを有していて、それらの各サブ・エレメントは、複数のターンの周りに、誘電材料の少なくとも二つのストリップを巻くことにより形成される。ここで、導電性材料の一つのレイヤは、前記ターンの間に配置され、また、前記サブ・エレメントは、ストリップの平面を横切る方向で見たときに、一方が他方の外側に配置されている。
【０００４】
第五のアスペクトによれば、本発明は、本発明のキャパシタの使用に係る。
【背景技術】
【０００５】
電力用キャパシタにおいて、キャパシタ・エレメントを使用することが既に知られている。このキャパシタ・エレメントは、片側または両側に金属レイヤが被覆された薄いフィルム状の誘電材料のストリップが、タイトに巻かれたフープを有している。このキャパシタ・エレメントは、円筒形の形状を有していても良い。
【０００６】
また、そのようなキャパシタ・エレメントを、幾つかのサブ・エレメントに分割して、これらのエレメントを直列に結合することも、既に知られている。これらのサブ・エレメントは、一方を他方の外側にして、互いの周りに同心状に配置される。サブ・エレメントは、通常、奇数である。サブ・エレメントは、それらの全体で同一のキャパシタンスを有するように巻かれる。この記載された種類のキャパシタ・エレメントは、例えば、ＷＯ−０１／５２２８４，ＷＯ−０１／５２２８５，ＷＯ−０１／５２２８６，及びＷＯ−０１／５４１５１の中に、より具体的に記載されている。
【０００７】
キャパシタ・エレメントは、巻き線のターンの間のエア・ギャップを防止するために、極めてタイトに巻かれている。このようにターンをタイトに巻くことは、巻き続けるに従って、既に巻きつけられたターンが、更に一層圧縮されることを意味している。巻線の最も外側のターンは、複数の外側にあるターンから内側に加えられる力を受けることがない。それ故に、キャパシタ・エレメントは、非常にタイトに巻かれたフィルムと、複数の最も外側のターンを含むことになり、後者の中では、フィルムは、タイトに巻かれているが、内側にあるフィルム同じ程度のタイトさまでには達していない。
【０００８】
キャパシタ・エレメントが、複数のサブ・エレメントを含むとき、最も外側のサブ・エレメントの外側の部分は、このようにして、この最も外側のサブ・エレメントの内側の部分と比べて、よりルーズに巻かれることになり、内側にあるサブ・エレメントと比べると、更にルーズに巻かれることになる。これら内側にあるサブ・エレメントに対して加えられる巻線の圧力は、実際のところ比較的一定である。
【０００９】
これらのあまりタイトに巻かれていない最も外側のターンは、キャパシタ・エレメントの残りの部分と比べて、電気的な性質が劣っていることが、既に見出されている。巻線のこれらの外側のターンは、それ故に、実現可能な絶縁ストレインを制約することになる。これは、キャパシタ・エレメントの経済的な使用に対して、負の影響を及ぼす。その理由は、材料の消費量が、絶縁ストレインの二乗に逆比例するからである。
【特許文献１】国際公開第ＷＯ−０１／５２２８４号パンプレット
【特許文献１】国際公開第ＷＯ−０１／５２２８５号パンプレット
【特許文献１】国際公開第ＷＯ−０１／５２２８６号パンプレット
【特許文献１】国際公開第ＷＯ−０１／５４１５１号パンプレット
【発明の開示】
【発明が解決しようとする課題】
【００１０】
本発明の目的は、問題の種類のキャパシタ・エレメントにおいて、上記の問題が克服されたキャパシタ・エレメントを提供することにある。
【課題を解決するための手段】
【００１１】
本発明の第一のアスペクトによれば、この目的は、関係する種類のキャパシタ・エレメントに、下記の特別な特徴を付与することにより実現される：即ち、最も外側のサブ・エレメントを形成するに当たって、それぞれ内側にあるサブ・エレメントの中の各ストリップと比べて長いストリップを使用する。
【００１２】
最も外側のサブ・エレメントを、より長い長さの巻き線を用いて巻くことの結果として、このサブ・エレメントのキャパシタンスが、それに対応して、残余のサブ・エレメントのキャパシタンスと比べて大きくなる。インピーダンスは、キャパシタンスに逆比例するので、インピーダンスは、対応する程度まで減少する。絶縁ストレスは、それとともに、外側のサブ・エレメントで、低下することになる。これは、キャパシタ・エレメントが全体的に最適化されることを可能にし、それによって、外側のサブ・エレメント及び内側にあるサブ・エレメントの両者が、負荷に対して耐えることが可能なマージンとして、本質的に同一のマージンを有することになる。
【００１３】
キャパシタ・エレメントの全体のキャパシタンスは、幾らかより高くなり、同様に、その体積／材料の含有量も増えることになる。これは、キャパシタ・エレメントに、より高い電圧が印加されることを可能にし、それとともに、より大きな容量性パワーを作り出すと言う大きな優位性をもたらす。
【００１４】
本発明のキャパシタ・エレメントの一つの好ましい実施形態によれば、最も外側に配置されたサブ・エレメントの中のストリップは、最も近くの内側にあるサブ・エレメントの中のストリップの長さの１１０％から１２０％の範囲内の長さを有することになる。
【００１５】
本発明のもう一つの好ましい実施形態によれば、導電性材料のレイヤが、ストリップの少なくとも一方のサイドで、コーティングの形態で被覆される。
【００１６】
この技術的なソリューションは、関係するキャパシタ・エレメントのタイプに対して、既に知られていて、キャパシタ・エレメントの自己治癒能力に関して、有利な性質を有している。それはまた、その製造の観点において、コスト効率の良い構造でもある。このタイプのキャパシタ巻き線によりもたらされる利点は、本発明を適用する際に、特に貴重である。
【００１７】
本発明のもう一つの好ましい実施形態によれば、各サブ・エレメントは、複数の巻かれたストリップの中に、二つの異なるストリップを有している。それによって巻き線の各一つおきのターンが、一方のストリップにより形成され、そして巻き線の互いに一つおきのターンが、もう一方のストリップにより形成される。
【００１８】
二つのストリップが導電性材料でコーティングされる実施形態において、コーティング・パターンが、使用されるストリップの間で異なることが可能である。これは、キャパシタ・エレメントの中で、いわゆる内部直列結合（interior series coupling）を実現する一つのやり方である。内部直列結合（internal series coupling）は、既に知られている。そのようなプロシジャーの使用は、本発明の基本的な概念の使用と共に、内部直列結合が、特に大幅に利用されることを可能にすると言う利点を有している。
【００１９】
以上に挙げた本発明のキャパシタ・エレメントの有利な実施形態は、請求項１に従属する請求項の中に規定されている。
【００２０】
本発明に基づくキャパシタ・エレメントを含む電力用キャパシタ、及びそのような電力用キャパシタを含むキャパシタ・バッテリーは、本発明のキャパシタ・エレメントに対して以上において挙げられた利点に対応する種類の利点を提供する。
【００２１】
本発明の第四のアスペクトによれば、本発明の目的は、キャパシタ・エレメントの製造に関係する種類の方法の助けによっても、実現される。それは、最も外側のサブ・エレメントが、各内側に位置するサブ・エレメントが巻かれるストリップと比べて長いストリップを用いて巻かれると言う特定の手段を有する方法のお陰である。
【００２２】
本発明の方法は、本発明のキャパシタ・エレメントに対して以上において挙げられた利点に対応する種類の利点を提供する。
【００２３】
本発明の方法の有利な実施形態は、請求項７に従属する請求項の中に規定されている。これらの実施形態は、本発明のキャパシタ・エレメントの好ましい実施形態に対して以上において挙げられた利点と同じ種類の利点をもたらす。
【００２４】
本発明の第五のアスペクトによれば、本発明の電力用キャパシタによりもたらされる利点が、電気的システムにおいて利用される。
【００２５】
電気的システムの中において、本発明の電力用キャパシタが使用されることが可能である多くのアプリケーションがある。それらは、例えば、下記のようなものである：
−  消費者用の電気的プラントの中で、無効電力を発生させるため；
−  有効電力または無効電力を直流または交流ネットワークに伝送するため；
−  電気的送電線を介して高周波数信号の伝送のためのカップリング・キャパシタとして；
−  キャパシタ電圧トランスの中のキャパシタ電圧デバイダとして；
−  電圧スティフまたは電流スティフスタティック・コンバータの中のコンポーネントとして；
−  交流フィルタの中のコンポーネントとして；そして、
−  直列補償型キャパシタ・プラントの中のコンポーネントとして；
当然ながら、本発明はこれらのアプリケーションのみに限定されるものではない。
【発明を実施するための最良の形態】
【００２６】
以下において、本発明が、その好ましい実施形態を参照ながら、また、添付図面の図を参照ながら、より詳細に説明される。
【００２７】
図１は、本発明に基づく円筒形のキャパシタ・エレメントを示している。キャパシタ・エレメントは、共通の軸（参照符号Ａ）と同軸な三つのサブ・エレメント１０１，１０２，１０３に分割されている。最も外側のサブ・エレメント１０１は、本質的に管状であって、セントラル・サブ・エレメント１０２から僅かに離れて、その周りを取り囲んでいる。同様に、セントラル・サブ・エレメントは、最も内側のサブ・エレメント１０３を近接して取り囲む内側表面１０５を有している。この最も内側のサブ・エレメント１０３は、セントラル通過チャネル１０６を含んでいる。
【００２８】
各サブ・エレメント１０１，１０２，１０３は、金属で被覆されたポリマー・フォイルのタイトに巻かれたストリップを有している。これらのストリップの長さは、二つの最も内側のサブ・エレメント１０２，１０３に関して、一般的に同一であり、これに対して、最も外側のサブ・エレメント１０１を巻くために使用されるストリップは、他のストリップと比べて、約１５％、長い。絶縁層１０７が、これらのサブ・エレメントの間に設けられている。
【００２９】
図１に示されたキャパシタ・エレメントの代替的な実施形態において、各サブ・エレメントの巻線は、互いに異なるデザインの二つのストリップを有している。
【００３０】
サブ・エレメントは、直列に結合される。二つの径方向に隣接するサブ・エレメントは、互いに同一の端部に、それぞれの結合ポイントをそれぞれ有している。このようにして、最も外側のサブ・エレメント１０１は、キャパシタ・エレメント１の一端で、カップリング・デバイス１１０により、セントラル・サブ・エレメント１０２に接続され、セントラル・サブ・エレメント１０３は、キャパシタ・エレメント１のもう一方の端部で接続される。このようにして、前記エレメントのそれぞれの端部に、キャパシタ・エレメントの接続１１２，１１３が得られる。
【００３１】
もし、サブ・エレメントの数が、３よりも大きい場合には（例えば５または７）、サブ・エレメントの端部での結合ポイントは、以上に記載されたものと同一のやり方で、交互に接続される。
【００３２】
図２は、図１に示された種類の複数のキャパシタ・エレメントが直列に互いに接続されるやり方を示している。この図は、二つのそのようなキャパシタ・エレメント１ａ，１ｂを示している。内側のサブ・エレメント１０３の上側の端部での、下側のキャパシタ・エレメント１ｂの接続１１２は、外側のサブ・エレメント１０１の下側の端部での、上側のキャパシタ・エレメント１ａの接続１１３に接続されている。絶縁材料１１４は、このタイプのキャパシタ・エレメントにおいて生ずる電位差に対処するため、これらのキャパシタ・エレメントの間に配置されている。
【００３３】
図３は、前記代替的な実施形態による図１の中のサブ・エレメントの内の一つの拡大された径方向の部分断面図を示す。この部分断面図は、金属で被覆されたフィルムの二つの隣接するターンを示している。それぞれのフィルム８ａ及び８ｂは、約１０μｍの厚さを有し、その材料は、ポリプロピレンである。金属レイヤ９ａ，９ｂは、約ｎｍの厚さを有し、アルミニウムまたは亜鉛またはそれらの混合物を有し、この金属レイヤは、ストリップを巻くステップに先立って、ポリプロピレン・フィルムの上に蒸着される。そのようなメタライズされたフィルムを用いて、交流で８０Ｖ／μｍのオーダーの強度の電気的ストレスＥにまで到達することが可能である。
【００３４】
キャパシタ・エレメントを製造する技術は、このようにして、既に知られており、この技術についてより詳細に説明する必要はないであろう。メタライズされたフィルムの使用は、自己治癒性を付与すると言う利点を有し、フィルム・フォイル技術の場合と比べて、より高い電気的ストレス及びより高いエネルギー密度を可能にする。
【００３５】
金属レイヤは、プラスチック・フィルムを、一方のサイドエッジから、そのもう一方のサイドエッジの近くまでカバーする。このようにして、フィルム８ａのエッジ領域即ちボーダー領域１６ａには、金属コーティングが無い。これに対応して、フィルム８ｂのボーダー領域１６ｂにもまた、金属コーティングが無い。しかしながら、フィルム８ｂのフリーなボーダー領域１６ｂは、フィルム８ａ上のフリーなボーダー領域に対して反対側の端部のエッジにある。レイヤ９ａの電気的な接続は、この図から分かるように、エレメントの上側の端部及びレイヤ９ｂの下側の端部で得られ、それによって、一方の方向に正の電極が、反対側の方向に負の電極が得られる。それらの端部は、有効な電気的なコンタクトを提供するために、亜鉛が溶射されても良い。
【００３６】
図４による変形された実施形態の場合には、キャパシタ・エレメントは、いわゆる内部直列結合を含んでいる。この場合には、各プラスチック・フィルム８ａ，８ｂ上の金属レイヤ９ａ，９ｂが、二つの部分９ａ’,９ａ''及び９ｂ’及び９ｂ''にそれぞれ分割され、それらは、被覆されていない部分１７ａ及び１７ｂにより、それぞれ分離される。金属レイヤを二つよりも多い部分に分割することもまた、可能である。金属レイヤ部分の各対、例えば９ａ’及び９ｂ’は、直列に接続されたキャパシタのサブ・エレメントを形成する。
【００３７】
図５は、変形された実施形態の変形形態を示し、この形態において、一方のプラスチック・フィルム８ａの上の金属レイヤ９ａだけが、被覆されていない部分１７ａにより分離された二つの部分９ａ’，９ａ''に分割され、これに対して、もう一方のプラスチック・フィルム８ｂの上の金属レイヤは、分割されていない。部分９ａ’及び９ａ''のそれぞれは、フィルム８ａのエッジに十分に伸び、それによって、この場合には、電気的な接続が、唯一且つ同一のフィルム８ａの上で、生ずる。上側のプラスチック・フィルムの上の金属レイヤ９ｂは、両サイドで、１６ａ，１６ｂに示されているように、フィルムのエッジの手前で終了し、このようにして、どの方向においても、電気的に接続されない。
【００３８】
図６は、本発明に基づくキャパシタ・エレメントにより作られた電力用キャパシタ２のデザインの例を示す。この電力用キャパシタは、外側のポリエチレン・コンテナ７を有し、このコンテナは、ここに例示されたケースでは、４個のキャパシタ・エレメント１ａ−１ｄを収容している。コンテナ７及びキャパシタ・エレメント１ａ−１ｄは、円筒形の形状である。キャパシタ・エレメント１ａ−１ｄは、直列に接続されている。接続端子３，４が、キャパシタの各端部に設けられている。各端子は、導電性のタブからなり、このタブは、コンテナの材料の中に固定され、且つそれを貫通して伸びている。冷却の目的で、各キャパシタ・エレメント１に、軸方向の貫通孔６が設けられても良い。
【００３９】
図７は、円筒形のコンテナ２を備えた複数の電力用キャパシタが、如何にして、互いに接続されキャパシタ・バッテリー１２を形成するかを示している。
【００４０】
次に、本発明に基づきキャパシタ・エレメントを製造する一つの方法を、図８を参照して、説明する。この図は、適切な製造装置を概略的に示している。
【００４１】
ここに例示されたケースにおいて、キャパシタ・エレメントの各サブ・エレメントは、二つの異なる金属で被覆された、ポリマー・フィルムのストリップ４１，４２を有している。この示された例において、キャパシタ・エレメントは、次のような種類のものである：即ち、一方のストリップ４１のフィルムが、そのエッジを除いて、一方の表面の全体に渡って、金属レイヤでコーティングされ、それに対して、もう一方のストリップの金属のレイヤは、被覆されていない領域３４を中央にして、二つの平行なレイヤ３５，３６に分割されている。
【００４２】
この製造装置は、第一の回転可能な収納軸２９、及び二つの互いに隣接するガイドローラ３２を含み、この軸の上にストリップ４０が巻かれ、キャパシタ・エレメント３０を形成する。キャパシタ・エレメント３０を製造する際に、ストリップ４１のロールは軸２５の上に配置され、一方、ストリップ４２のロールは軸２７の上に配置される。ストリップ４１，４２は、ガイドローラ３２まで移動し、そこで、それらのストリップが結合され、複合材料のストリップ４０を形成する。複合材料のストリップ４０は、収納軸２９の上に巻き付けられ、それによって、第一のストリップ４１が内側ターンを形成し、第二のストリップ４２が外側のターンを形成することになり、換言すると第一のフィルムの被覆された表面が収納軸２９の方に向き、第二のフィルムの被覆されていない表面がキャパシタ・エレメント３０のバレル表面の方に向くようになる。
【００４３】
このようにして、キャパシタ・エレメントの中の各サブ・エレメントが巻かれる。最も外側のサブ・エレメントに対して使用されるストリップは、残余のサブ・エレメントの中で使用されるストリップと比べて、約１５％、長い。異なる電気的システムにおける本発明のキャパシタの使用は、典型的なキャパシタについて採用されるものに対応するやり方で、実施される。それ故に、そのようなアプリケーションについてのより具体的な説明は、不必要であると思われる。これに関しては、例えば、ＷＯ−０１／５４１５２を参照することが可能であり、その中に、電力用キャパシタの異なるアプリケーションが記載され且つ示されている。
【図面の簡単な説明】
【００４４】
【図１】図１は、本発明に基づくキャパシタ・エレメントの長手方向の断面図を示している。
【図２】図２は、図１による二つの互いに接続されたキャパシタ・エレメントを示している。
【図３】図３は、図１の一部の拡大された径方向の断面図である。
【図４】図４は、図３に対応する断面図であるが、代替的な実施形態を示している。
【図５】図５は、図３に対応する断面図であるが、更に代替的な実施形態を示している。
【図６】図６は、本発明のキャパシタの第一の実施形態の斜視図である。
【図７】図７は、本発明に基づくキャパシタ・バッテリーの側面図である。
【図８】図８は、本発明に基づく製造工程を概略的に示している。
【図１】
2009515359.tif 000003
【図２】
2009515359.tif 000004
【図３】
2009515359.tif 000005
【図４】
2009515359.tif 000006
【図５】
2009515359.tif 000007
【図６】
2009515359.tif 000008
【図７】
2009515359.tif 000009
【図８】
2009515359.tif 000010
【国際調査報告】
2009515359.tif 000011
2009515359.tif 000012
2009515359.tif 000013